(57)【要約】【課題】データベースに関連付けられて登録された医用画像及び属性情報の変更を、モダリティや転送装置により再送せずとも変更及び修正し得る医用画像管理装置を提供すること。【解決手段】患者を撮影した医用画像に付帯された複数の情報から成る付帯情報に基づいて当該医用画像を記憶し管理する医用画像管理装置１において、  付帯情報に含まれる情報の関係を分析して階層別に分別し、階層別に分別された情報に上位層と関連付ける関連情報を付加して階層構造のグループを患者単位で生成し、管理情報データベース４１に記憶させる階層化グループ生成処理、グループに含まれる情報を他のグループに移動させる場合、移動元となるグループに含まれる情報に付加された関連情報を、当該情報と同一層の移動先となるグループの関連情報に書き換える書換処理、を実行するＣＰＵ１０を備える。【選択図】図１
2007313219.tif 000002
【特許請求の範囲】
【請求項１】
患者を撮影した医用画像に付帯された複数の情報から成る付帯情報に基づいて当該医用画像を記憶し管理する医用画像管理装置において、
前記付帯情報に含まれる前記情報の相互の関係を分析して階層別に分別し、当該階層別に分別された前記情報に上位層と関連付ける関連情報を付加して、階層構造のグループを患者単位で生成する階層化グループ生成手段と、
前記階層化グループ生成手段により生成されたグループに含まれる情報を記憶する記憶手段と、
前記グループに含まれる情報を他のグループに移動させる場合、移動元となる前記グループに含まれる情報に付加された関連情報を、当該情報と同一層の移動先となる前記グループの関連情報に書き換える書換手段と、
を備えること、
を特徴とする医用画像管理装置。
【請求項２】
前記関連情報は、前記情報が属する層に下位層が存在する場合には同一の層に含まれる他の情報と識別する自己識別符号、又は、前記情報が属する層に上位層が存在する場合には、関連する上位層の情報の自己識別符号を示す上位識別符号、であること、
を特徴とする請求項１記載の医用画像管理装置。
【請求項３】
前記書換手段は、前記グループに含まれる情報を他のグループに移動させる場合、前記移動元となる前記グループに含まれる情報に付加された前記上位識別符号を、当該情報と同一階層の前記移動先となる前記グループの上位層を示す前記自己識別符号に書き換えること、
を特徴とする請求項２記載の医用画像管理装置。
【請求項４】
前記記憶手段に記憶されたグループを複数表示する表示手段と、
前記表示手段に表示されたグループに含まれる情報の選択指示を受け付け、また、受け付けた当該情報を移動させるグループの選択指示を受け付ける入力手段と、
を備え、
前記書換手段は、
前記入力手段により受け付けた情報を含むグループを前記移動元と設定し、前記入力手段により受け付けたグループを前記移動先として設定すること、
を特徴とする請求項１から３のいずれか一項に記載の医用画像管理装置。
【請求項５】
前記書換手段により、前記記憶手段に記憶されたグループに含まれる情報に付加された関連情報の書き換えが行われた場合、当該書き換え履歴に関する情報を書換履歴情報として前記記憶手段に記憶させる履歴情報取得手段と、
前記記憶手段に記憶された前記書換履歴情報を前記表示手段に表示させる履歴情報表示制御手段と、
を備えること、
を特徴とする請求項１から４のいずれか一項に記載の医用画像管理装置。
【発明の詳細な説明】
【技術分野】
【０００１】
本発明は、患者を撮影して得られた医用画像及びその医用画像に付帯された付帯情報を関連付けて管理する医用画像管理装置に関する。
【背景技術】
【０００２】
近年、医用の分野においては、患者を撮影した医用画像のデジタル化が実現されている。医用画像は、放射線を利用したＣＴ（Computed Tomography）、ＭＲＩ（Magnetic Resonance Imaging）、ＣＲ（Computed Radiography）などの医用画像生成装置（以下、モダリティ。）によりデジタル画像として取得される。取得された医用画像は、患者の患者情報や検査情報等の属性情報と共に一元的にＤＩＣＯＭ（Digital Imaging and Communications in Medicine）規格に適合するデータに変換され、医用画像管理装置（以下、ＰＡＣＳ；Picture Archiving and Communication Systems）のデータベースに保存され、管理される。
【０００３】
ＰＡＣＳにおいて医用画像を管理する際、ＰＡＣＳのデータベースのデータ管理構成は患者を識別する患者情報を最上位層、医用画像の画像情報を最下位層として、各種情報が関連付けられた階層構造であるため、例えばある医用画像を他の患者の医用画像として変更する処理を行った場合、最上位層の患者情報の変更処理として認識され、その結果、元の患者情報が他の患者情報に変更され、元の患者情報での検索が不可能となったり、元の患者の医用画像を保存することができなくなったりするという不具合が生じていた。
【０００４】
また、モダリティの種類によっては、独自に医用画像に属性情報が付加されるものがあり、モダリティから送信されるデータ管理構成とＰＡＣＳのデータベースのデータ管理構成とに不整合が生じた場合、誤った情報が保存されたり、情報が保存不可となったりするという不具合が生じていた。
【０００５】
そこで、ＰＡＳＣのデータ管理構成を取得し、取得したＰＡＳＣのデータ管理構成と、モダリティから送信予定の医用画像の付帯情報（属性情報）とを比較して、整合性の判定を実行することで、誤った情報の保存を未然に防止することができる画像送信装置が開示されている（特許文献１参照）。
【特許文献１】特開２００２−１３２５５７号公報
【発明の開示】
【発明が解決しようとする課題】
【０００６】
しかしながら、特許文献１のような従来の装置では、依然として、サーバに保存されたデータに誤りがあった場合には、再度、モダリティ側からデータを送信しなおす必要があり、ユーザにとって非常に煩雑な作業となるという問題がある。また、ＰＡＣＳの特徴として、一度取得したデータを消去するという思想が無いため、正しいデータを保存した場合であっても、誤ったデータがＰＡＣＳ上に残存した状態となり、同一の医用画像及び属性情報を２重に管理してしまうという問題がある。
【０００７】
本発明の課題は、データベースに関連付けられて登録された医用画像及び属性情報の変更を、モダリティや転送装置により再送せずとも変更及び修正し得る医用画像管理装置を提供することである。
【課題を解決するための手段】
【０００８】
請求項１に記載の発明は、患者を撮影した医用画像に付帯された複数の情報から成る付帯情報に基づいて当該医用画像を記憶し管理する医用画像管理装置において、前記付帯情報に含まれる前記情報の相互の関係を分析して階層別に分別し、当該階層別に分別された前記情報に上位層と関連付ける関連情報を付加して、階層構造のグループを患者単位で生成する階層化グループ生成手段と、前記階層化グループ生成手段により生成されたグループに含まれる情報を記憶する記憶手段と、前記グループに含まれる情報を他のグループに移動させる場合、移動元となる前記グループに含まれる情報に付加された関連情報を、当該情報と同一層の移動先となる前記グループの関連情報に書き換える書換手段と、を備えること、を特徴としている。
【０００９】
請求項２に記載の発明は、請求項１記載の医用画像管理装置において、前記関連情報は、前記情報が属する層に下位層が存在する場合には同一の層に含まれる他の情報と識別する自己識別符号、又は、前記情報が属する層に上位層が存在する場合には、関連する上位層の情報の自己識別符号を示す上位識別符号、であること、を特徴としている。
【００１０】
請求項３に記載の発明は、請求項２記載の医用画像管理装置において、前記書換手段は、前記グループに含まれる情報を他のグループに移動させる場合、前記移動元となる前記グループに含まれる情報に付加された前記上位識別符号を、当該情報と同一階層の前記移動先となる前記グループの上位層を示す前記自己識別符号に書き換えること、を特徴としている。
【００１１】
請求項４に記載の発明は、請求項１から３のいずれか一項に記載の医用画像管理装置において、前記記憶手段に記憶されたグループを複数表示する表示手段と、前記表示手段に表示されたグループに含まれる情報の選択指示を受け付け、また、受け付けた当該情報を移動させるグループの選択指示を受け付ける入力手段と、を備え、前記書換手段は、前記入力手段により受け付けた情報を含むグループを前記移動元と設定し、前記入力手段により受け付けたグループを前記移動先として設定すること、を特徴としている。
【００１２】
請求項５に記載の発明は、請求項１から４のいずれか一項に記載の医用画像管理装置において、前記書換手段により、前記記憶手段に記憶されたグループに含まれる情報に付加された関連情報の書き換えが行われた場合、当該書き換え履歴に関する情報を書換履歴情報として前記記憶手段に記憶させる履歴情報取得手段と、前記記憶手段に記憶された前記書換履歴情報を前記表示手段に表示させる履歴情報表示制御手段と、を備えること、を特徴としている。
【発明の効果】
【００１３】
請求項１に記載の発明によれば、医用画像に付帯された複数の情報を階層化し、かつ、各情報には上位層と関連付ける関連情報を付加して記憶手段に記憶させ、当該情報を他のグループに移動させる場合には、移動先となる関連情報に書き換えることにより、記憶手段に保存された情報の修正を行うことができる。従って、記憶手段に記憶した情報が誤って記憶された場合であっても、再度、モダリティ側から情報を送信しなおす必要が無くなると共に、誤った情報が記憶手段に残存してしまうということも無くなり、モダリティや転送装置により再送せずとも変更及び修正し得る医用画像管理装置を提供することができる。
【００１４】
請求項２に記載の発明によれば、請求項１と同様の効果を得られるのは勿論のこと、各情報は、自身が属する層の上位層の自己識別符号を上位識別符号として付加されることにより、上位層と関連付ける関連情報を形成することができる。
【００１５】
請求項３に記載の発明によれば、請求項２と同様の効果を得られるのは勿論のこと、移動元となるグループに含まれる情報に付加された上位識別符号を、移動先となる前記グループの当該情報と同一階層の上位層を示す自己識別符号に書き換えることにより、記憶手段（サーバ）に保存された情報の修正を行うことができる。
【００１６】
請求項４に記載の発明によれば、請求項１から３のいずれか一項と同様の効果を得られるのは勿論のこと、移動させるグループの選択指示を行うことができると共に、入力手段により受け付けた情報を含むグループを移動元と設定し、入力手段により受け付けたグループを移動先として設定することができるため、情報の変更及び修正する際のユーザに対する操作性を向上させることができる。
【００１７】
請求項５に記載の発明によれば、請求項１から４のいずれか一項と同様の効果を得られるのは勿論のこと、履歴情報を表示手段により表示させることができることにより、ユーザに対して履歴情報を確認させることができる。
【発明を実施するための最良の形態】
【００１８】
以下、図を参照して本発明の実施の形態を詳細に説明する。
まず、構成を説明する。
図１に、本実施の形態における医用画像管理装置１の構成を示す。
【００１９】
医用画像管理装置１は、医用画像を保存管理し、検索やデータ解析を行うデータベースシステムであり、モダリティから受信した医用画像に付帯された付帯情報に基づいて当該医用画像を蓄積記憶し、そして、読影医等のユーザの操作指示に応じて指定された患者ＩＤや検査ＩＤ等を検索キーとして医用画像を検索し、ビューアやイメージャ（不図示）に出力する装置であり、例えば、ＰＡＣＳ（Picture Archiving and Communication Systems）と称されるものである。
【００２０】
図１に示すように、医用画像管理装置１は、ＣＰＵ（Central Processing Unit）１０、ＲＯＭ（Read Only Memory）２０、ＲＡＭ（Random Access Memory）３０、記憶部４０、入力部５０、表示部６０、通信部７０等を備え、各部は互いに電気的に通信可能に接続されて構成されている。また、医用画像管理装置１は、通信部７０を介して、ネットワークＮに接続されたＨＩＳ（Hospital Information System：病院情報システム）２、ＲＩＳ（Radiological Information System：放射線情報システム）３、モダリティ４等の外部装置と通信可能に接続されている。
【００２１】
ＨＩＳ２は、医療事務会計や診療予約、電子カルテの管理、検査及び薬剤等の各部門へのオーダリング等、病院内の情報を統括的に管理するシステムである。ＨＩＳ２は、医師から放射線科での撮影依頼を受け付けて、その撮影依頼の内容を含む検査オーダ情報を生成する。そしてＨＩＳ２は、ネットワークＮを介して検査オーダ情報をＲＩＳ３に送信する。
【００２２】
ＲＩＳ３は、放射線科内の情報を管理するシステムであり、放射線医等のユーザによる検査オーダ情報の登録を受け付けて検査オーダ情報を生成したり、ＨＩＳ２から検査オーダ情報を受信したりして、当該検査オーダ情報に、その検査オーダ情報の識別情報である検査番号を付して管理するものであり、生成された検査オーダ情報を指定されたモダリティ４に送信する。
【００２３】
検査オーダ情報としては、患者情報（例えば、検査対象の患者を識別するための患者ＩＤ、患者氏名、性別等の患者に関する情報）、検査情報（例えば、検査日時、検査番号等）、患者を部位毎に連続撮影した場合の一連の医用画像を関連付けるためのシリーズ情報（例えば、医用画像の撮影に用いるモダリティ名、撮影部位情報（胸部、腹部等）、撮影方向情報（正面、側面等）、体位情報（立位、臥位等）、左右情報等の検査に関する情報）を挙げることができる。
【００２４】
モダリティ４は、患者を撮影し医用画像の画像データを生成する画像生成装置である。モダリティ４としては、ＣＴ（Computed Tomography）装置、ＣＲ（Computed Radiography）装置、ＭＲＩ（Magnetic Resonance Imaging）装置、内視鏡装置、超音波診断装置等、様々な種類の医用画像を撮影するモダリティが適用可能である。
【００２５】
モダリティ４は、ＲＩＳ３から受信した検査オーダ情報に従って、患者を撮影しその医用画像の画像データを生成する。そして、モダリティ４は、生成した医用画像の画像データに、ＲＩＳ３から受信した当該医用画像に対応する患者情報、検査情報、シリーズ情報と、医用画像の画像情報（例えば、医用画像を識別する画像番号、光度測定解釈情報、画素アスペクト比、フレーム数等）とを付帯情報として付帯させ、ＤＩＣＯＭ規格に則したデジタルデータに変換されたＤＩＣＯＭファイルとして医用画像管理装置１に送信する。ＤＩＣＯＭファイルは、画像部とヘッダ部とから構成されており、画像部には医用画像の画像データ、ヘッダ部に当該画像データに関する付帯情報が書き込まれている。
【００２６】
ＣＰＵ１０は、各部の動作の制御と各部間のデータ入出力の制御等を行うことで医用画像管理装置１を統括的に管理及び制御する。具体的には、入力部５０から入力される操作信号に応じてＲＯＭ２０や記憶部４０に格納されたプログラムやデータを読み出しＲＡＭ３０に展開し、当該プログラムに従った処理を実行する。そして、その処理結果に基づいて、表示部６０の表示画面上の各種画面の更新や記憶部４０へのデータの記憶、外部機器とのデータ通信等を行う。
【００２７】
本実施の形態におけるＣＰＵ１０は、ＲＯＭ２０及びＲＡＭ３０との協働により、通信部７０を介してモダリティ４からＤＩＣＯＭファイルを受信した場合、付帯情報に含まれる各種情報（患者情報、検査情報、シリーズ情報、画像情報）の相互の関係を分析して各種情報を階層別に分別し、階層別に分別された各情報に、当該情報が属する層の上位層と関連付ける関連情報を付加して、階層構造のグループを患者単位で生成し、生成したグループに含まれる情報を記憶部４０内の管理情報データベース４１に記憶させる階層化グループ生成処理、入力部５０からの操作信号に基づいて、グループに含まれる情報を他のグループに移動させる場合、移動元となるグループに含まれる情報に付加された関連情報を、当該情報と同一層の移動先となるグループの関連情報に書き換える書換処理を実行する。
【００２８】
関連情報は、情報が属する層に下位層が存在する場合には、同一の層に含まれる他の情報と識別する自己識別符号、又は、情報が属する層に上位層が存在する場合には、関連する上位層の情報の自己識別符号を示す上位識別符号であり、ＣＰＵ１０は、詳しくは、書換処理を実行する場合、移動元となるグループに含まれる情報に付加された上位識別符号を、当該情報と同一階層の移動先となるグループの上位層を示す自己識別符号に書き換える。
【００２９】
従って、各情報は、自身が属する層の上位層の自己識別符号を上位識別符号として付加されることとなり、上位層と関連付ける関連情報を形成することができると共に、移動元となるグループに含まれる情報に付加された上位識別符号を、移動先となるグループの当該情報と同一階層の上位層を示す自己識別符号に書き換えることにより、管理情報データベース４１に保存された情報の修正を行うことができる。
【００３０】
図２に、階層化グループ生成処理により生成され、記憶部４０に記憶された管理情報データベース４１のグループＧのイメージ図を示し、図３に、記憶部４０に記憶された管理情報データベース４１の例を示す。
【００３１】
図２に示すように、グループＧは、患者毎に生成されており、患者情報が属する患者層を最上位層として、下位層に向かう方向に、患者情報に対する各種検査情報が属する検査層、各検査情報に対する各種シリーズ情報が属するシリーズ層、各シリーズ情報に対する各種画像情報が属する画像層により構成され、各層の各種情報は、上位層の関連する情報と関連付けるための関連情報が付加されたツリー構造となっている。図２では、この関連情報のイメージとして、各情報間を結ぶ線で示している。
【００３２】
管理情報データベース４１は、患者情報データテーブル、患者情報データテーブルの各レコードに関連する複数の検査情報データテーブル、検査情報データテーブルの各レコードに関連する複数のシリーズ情報データテーブル、シリーズ情報データテーブルの各レコードに関連する複数の画像情報データテーブルから成る。
【００３３】
図３に示す患者情報データテーブル４１１は、患者ＩＤ、患者氏名、性別、生年月日等の患者情報を示すフィールドと、同一の患者層に含まれる他の患者情報と識別する自己識別符号としての患者情報キーを示すフィールドから成る複数のレコードから構成されている。なお、患者情報データテーブル４１１の各レコードは、患者情報がグループの最上位層である患者層に属し、上位層が存在しないことから、上位識別符号を示すフィールドを含まない。
【００３４】
患者情報キーは、患者情報を示すレコードが管理情報データベース４１に登録された場合において、各患者情報を識別するために生成され付加されるユニークな符号であり、例えば番号、記号、文字等やこれらの組合せである。
【００３５】
図３に示す検査情報データテーブル４１２は、患者情報データテーブル４１１に示されたレコードＡ１に関連する検査情報データテーブルの例を示しており、検査日付、検査時刻、検査番号、受付番号等の検査情報を示すフィールドと、同一グループ内の検査層に含まれる他の検査情報と識別する自己識別符号としての検査情報キーを示すフィールドと、上位識別符号として関連する上位層である患者層の患者情報の患者情報キー（ここでは、レコードＡ１の患者情報キーＫ１）を示すフィールドとから成る複数のレコードから構成されている。
【００３６】
検査情報キーは、検査情報を示すレコードが管理情報データベース４１に登録された場合において、同一グループ内の各検査情報を識別するために生成され付加されるユニークな符号であり、例えば番号、記号、文字等やこれらの組合せである。
【００３７】
シリーズ情報データテーブル４１３は、検査情報データテーブル４１２に示されたレコードＢ１に関連するシリーズ情報データテーブルの例を示しており、モダリティ名、撮影部位、撮影方向等のシリーズ情報を示すフィールドと、同一グループ内のシリーズ層に含まれる他のシリーズ情報と識別する自己識別符号としてのシリーズ情報キーを示すフィールドと、上位識別符号として関連する上位層である検査層の検査情報の検査情報キー（ここでは、レコードＢ１の検査情報キーＫ２）を示すフィールドとから成る複数のレコードから構成されている。
【００３８】
シリーズ情報キーは、シリーズ情報を示すレコードが管理情報データベース４１に登録された場合において、同一グループ内の各シリーズ情報を識別するために生成され付加されるユニークな符号であり、例えば番号、記号、文字等やこれらの組合せである。
【００３９】
画像情報データテーブル４１４は、シリーズ情報データテーブル４１３に示されたレコードＣ１に関連する画像情報データテーブルの例を示しており、画像番号と、光度測定解釈情報や画素アスペクト比などの各種画像処理パラメータ等の画像情報を示すフィールドと、上位識別符号として関連する上位層であるシリーズ層のシリーズ情報のシリーズ情報キー（ここでは、レコードＣ１のシリーズ情報キーＫ３）を示すフィールドとから成る複数のレコードから構成されている。なお、画像情報データテーブル４１４の各レコードは、画像情報がグループの最下位層である画像層に属し、下位層が存在しないことから、自己識別符号を示すフィールドを含まない。
【００４０】
このように各層のレコードは、各レコードが含む情報が属する層に下位層が存在する場合には、同一の層に含まれる他の情報と識別する自己識別符号、各情報が属する層に上位層が存在する場合には、関連する上位層の情報の自己識別符号を示す上位識別符号、が付加されることにより上下関係にある層の各レコードが互いに関連付けられることとなる。
【００４１】
従って、例えば図２に示す患者情報ａ１と検査情報ｂ１を結ぶ線ａｂは、患者情報データテーブル４１１のレコードＡ１と、検査情報データテーブル４１２のレコードＢ１とが、レコードＡ１の自己識別符号としての患者情報キーＫ１と、レコードＢ１の上位識別符号としての患者情報キーとが関連付けられているイメージである。
【００４２】
同様に、図２に示す検査情報ｂ１とシリーズ情報ｃ１を結ぶ線ｂｃは、検査情報データテーブル４１２のレコードＢ１と、シリーズ情報データテーブル４１３のレコードＣ１とが、レコードＢ１の自己識別符号としての検査情報キーＫ２と、レコードＣ１の上位識別符号としての検査情報キーとが関連付けられているイメージであり、図２に示すシリーズ情報ｃ１と画像情報ｄ１を結ぶ線ｃｄは、シリーズ情報データテーブル４１３のレコードＣ１と、画像情報データテーブル４１４のレコードＤ１とが、レコードＣ１の自己識別符号としてのシリーズ情報キーＫ３と、レコードＤ１の上位識別符号としてのシリーズ情報キーとが関連付けられているイメージである。
【００４３】
また、ＣＰＵ１０は、書換処理により記憶部４０に記憶されたグループに含まれる情報に付加された関連情報の書き換えが行われた場合、当該書き換え履歴の情報を書換履歴情報として記憶部４０内の書換履歴情報群４２に記憶させる履歴情報取得処理を実行する。
【００４４】
更にＣＰＵ１０は、入力部５０からの操作信号に基づいて、記憶部４０内の書換履歴情報群４２に記憶された書換履歴情報を表示部６０に表示させる履歴情報表示制御処理を実行する。
【００４５】
このように、書換履歴情報を表示部６０により表示させることができるため、ユーザに対して書換履歴情報を確認させることができる。
【００４６】
ＲＯＭ２０は、不揮発性の半導体メモリで構成され、各種初期設定、ハードウェアの検査、又は必要なプログラムのロード等を行うためのプログラムや、階層化グループ生成処理、書換処理、履歴情報取得処理、履歴情報表示制御処理を実現させるために必要な各種プログラムやデータを格納する。
【００４７】
ＲＡＭ３０は、書き換え可能な半導体素子で構成され、ＣＰＵ１０が実行する各種プログラムやこれらのプログラムの実行に係るデータ等を一時的に保持する。
【００４８】
記憶部４０は、磁気的、光学的な記憶媒体にデータの読み書きを行う機能部であり、ＨＤＤ（Hard Disk Drive）等により構成され、階層化グループ生成処理により生成されたグループを記憶する管理情報データベース４１、書換処理により関連情報の書き換えが行われた場合における書換履歴情報を記憶する書換履歴情報群４２を有する。
【００４９】
入力部５０は、カーソルキーやテンキー等の各種キー群や、マウスやタッチパネル等のポインティングデバイスを備えて構成される。入力部５０は、ユーザに押下されたキーに対応する操作信号や、ポインティングデバイスにより指定された画面上の座標位置に対応する操作信号をＣＰＵ１０に出力する。また、入力部５０は、後述する修正操作画面が表示部６０に表示された場合、修正操作画面に表示されたグループに含まれる各種情報の選択指示を受け付け、また、受け付けた当該各種情報を移動させるグループの選択指示を受け付け、これら受け付けた選択信号を操作信号としてＣＰＵ１０に出力する。
【００５０】
表示部６０は、ＣＲＴ（Cathode-ray Tube）やＬＣＤ（Liquid Crystal Display）等により構成され、ＣＰＵ１０の制御に基づいた表示画面の表示や、記憶部４０に記憶されたグループを複数表示する修正操作画面を表示したり、書換履歴情報を表示する修正履歴表示画面の表示等を行う。
【００５１】
このように、ユーザは、表示部６０に表示された修正操作画面上に複数表示されたグループに含まれる情報の選択指示及び該情報を移動させるグループの選択指示を行うことができると共に、入力部５０により受け付けた情報を含むグループを移動元と設定し、入力手段により受け付けたグループを移動先として設定することができるため、情報の変更及び修正する際のユーザに対する操作性を向上させることができる。
【００５２】
通信部７０は、ＬＡＮインターフェイス等により構成され、ネットワークＮを介してＨＩＳ２、ＲＩＳ３、モダリティ４等の外部機器との間でデータ通信を行う。
【００５３】
次に、本実施の形態の動作を説明する。
図４に、本実施の形態における階層化グループ生成処理のフローチャートを示す。
モダリティ４から送信されたＤＩＣＯＭファイルが受信されたか否かが判別され（ステップＳ１）、ＤＩＣＯＭファイルが受信されていないと判別された場合（ステップＳ１；Ｎｏ）、ＤＩＣＯＭファイルが受信されるまで待機する。
【００５４】
ＤＩＣＯＭファイルが受信されたと判別された場合（ステップＳ１；Ｙｅｓ）、付帯情報に含まれる各種情報の相互の関係が分析され（ステップＳ２）、各種情報が階層別に分別される（ステップＳ３）。
【００５５】
ステップＳ２及びＳ３において実行される各種情報の相互の分析及び分別は、例えば、ＤＩＣＯＭファイルでは、各種情報を識別するタグ番号が付加されていることから、当該タグ番号に基づいて階層別に各種情報を分析及び分別される。
【００５６】
階層別に分別された各種情報のうち、患者情報に自己識別符号としての患者情報キーが付加されて管理情報データベース４１に登録され（ステップＳ４）、未登録の患者情報の有無が判別される（ステップＳ５）る。
【００５７】
未登録の患者情報が有ると判別された場合（ステップＳ５；Ｎｏ）、ステップＳ４に戻り、未登録の患者情報が無いと判別された場合（ステップＳ５；Ｙｅｓ）、患者情報の属する層の下位の層である検査層の検査情報に自己識別符号としての検査情報キーと、上位識別符号としての患者情報キーが付加されて管理情報データベース４１に登録され（ステップＳ６）、未登録の検査情報の有無が判別される（ステップＳ７）。
【００５８】
未登録の検査情報が有ると判別された場合（ステップＳ７；Ｎｏ）、ステップＳ６に戻り、未登録の検査情報が無いと判別された場合（ステップＳ７；Ｙｅｓ）、検査情報の属する層の下位の層であるシリーズ層のシリーズ情報に自己識別符号としてのシリーズ情報キーと、上位識別符号としての検査情報キーが付加されて管理情報データベース４１に登録され（ステップＳ８）、未登録のシリーズ情報の有無が判別される（ステップＳ９）。
【００５９】
未登録のシリーズ情報が有ると判別された場合（ステップＳ９；Ｎｏ）、ステップＳ８に戻り、未登録のシリーズ情報が無いと判別された場合（ステップＳ９；Ｙｅｓ）、シリーズ情報の属する層の下位の層である画像層の画像情報に自己識別符号としての画像情報キーと、上位識別符号としてのシリーズ情報キーが付加されて管理情報データベース４１に登録され（ステップＳ１０）、未登録の画像情報の有無が判別される（ステップＳ１１）。
【００６０】
未登録の画像情報が有ると判別された場合（ステップＳ１１；Ｎｏ）、ステップＳ１０に戻り、未登録の画像情報が無いと判別された場合（ステップＳ１１；Ｙｅｓ）管理情報データベース４１に本処理結果が反映され（ステップＳ１２）、本処理が終了される。
【００６１】
図５に、本実施の形態における書換処理及び履歴情報取得処理のフローチャートを示し、図６に、書換処理が実行される際に表示部６０に表示される表示画面（以下、修正操作画面６１という。）の例を示す。
【００６２】
図６に示す修正操作画面６１は、修正対象となる患者毎に、当該患者のグループの各種情報（患者情報、検査情報、シリーズ情報、画像情報）が表示される第１患者関連情報表示エリアＥ１及び第２患者関連情報表示エリアＥ２と、他のメニューに表示画面を切り替えるメニューボタン６２、ＲＩＳ等の外部装置からオーダ情報を取得するオーダ参照ボタン６３、修正操作画面６１上において操作された処理結果を管理情報データベース４１に反映させる指示を行うデータ更新ボタン６４等から構成されている。
【００６３】
第１患者関連情報表示エリアＥ１は、第１患者情報表示エリアＥ１ａ、第１検査情報表示エリアＥ１ｂ、第１シリーズ情報表示エリアＥ１ｃ、第１画像情報表示エリアＥ１ｄから成る。
【００６４】
第１患者情報表示エリアＥ１ａは、患者ＩＤ、患者氏名、性別、生年月日等の患者情報データテーブルに登録されている患者情報の項目が入力可能なテキストボックスを備えている。また、患者氏名、性別、生年月日等のテキストボックスは、患者ＩＤのテキストボックスに患者ＩＤが入力され検索ボタンＥ１１が押下された場合、当該入力された患者ＩＤに基づいて患者情報データベースから検索された患者情報が表示される。
【００６５】
第１検査情報表示エリアＥ１ｂは、第１患者情報表示エリアＥ１ａに表示された患者情報に関連する検査情報データテーブルの検査情報が選択可能に表示されている。図６に示す第１検査情報表示エリアＥ１ｂにおいて、網掛けハッチングされた検査情報が選択された検査情報を示している。
【００６６】
第１シリーズ情報表示エリアＥ１ｃは、第１検査情報表示エリアＥ１ｂに表示された検査情報のうち選択された検査情報（図６においては、検査情報表示エリアにおいて網掛表示されたレコード）に関連するシリーズ情報データテーブルのシリーズ情報が選択可能に表示される。図６に示す第１シリーズ情報表示エリアＥ１ｃにおいて、網掛けハッチングされたシリーズ情報が選択されたシリーズ情報を示している。
【００６７】
第１画像情報表示エリアＥ１ｄは、第１シリーズ情報表示エリアＥ１ｃに表示されたシリーズ情報のうち選択されたシリーズ情報（図６においては、シリーズ情報表示エリアにおいて網掛表示されたレコード）に関連する画像情報データテーブルの画像情報が示す画像番号の画像データがサムネイル画像として選択可能に表示される。
【００６８】
第２患者関連情報表示エリアＥ２は、第１患者関連情報表示エリアＥ１と同様に、第２患者情報表示エリアＥ２ａ、第２検査情報表示エリアＥ２ｂ、第２シリーズ情報表示エリアＥ２ｃ、第２画像情報表示エリアＥ２ｄから成る。第２患者情報表示エリアＥ２ａ、第２検査情報表示エリアＥ２ｂ、第２シリーズ情報表示エリアＥ２ｃ、第２画像情報表示エリアＥ２ｄは、それぞれ第１患者情報表示エリアＥ１ａ、第１検査情報表示エリアＥ１ｂ、第１シリーズ情報表示エリアＥ１ｃ、第１画像情報表示エリアＥ１ｄと略同様であるため、説明は省略する。
【００６９】
また、第１患者関連情報表示エリアＥ１と第２患者関連情報表示エリアＥ２は、第１患者情報表示エリアＥ１ａと第２患者情報表示エリアＥ２ａ、第１検査情報表示エリアＥ１ｂと第２検査情報表示エリアＥ２ｂ、第１シリーズ情報表示エリアＥ１ｃと第２シリーズ情報表示エリアＥ２ｃ、第１画像情報表示エリアＥ１ｄと第２画像情報表示エリアＥ２ｄとが同一の階層の情報を表示することから、この関係を視覚的に表示するために各表示エリアが並列に表示されている。
【００７０】
更に、第１検査情報表示エリアＥ１ｂと第２検査情報表示エリアＥ２ｂ、第１シリーズ情報表示エリアＥ１ｃと第２シリーズ情報表示エリアＥ２ｃ、第１画像情報表示エリアＥ１ｄと第２画像情報表示エリアＥ２ｄ、の同一の階層におけるエリア間には、選択された情報を他方に移動させる指示を示す移動ボタン６５ａ〜６５ｆが設けられている。
【００７１】
図６において、例えば、第１検査情報表示エリアＥ１ｂと第２検査情報表示エリアＥ２ｂの間に設けられた移動ボタン６５ａ、６５ｂとして、各移動ボタン６５ａ、６５ｂが示す矢印の向きが情報の移動方向を示すものとした場合、移動ボタン６５ａは第１検査情報表示エリアＥ１ｂのうち選択された検査情報を第２検査情報表示エリアＥ２ｂに移動させる指示を示し、移動ボタン６５ｂは第２検査情報表示エリアＥ２ｂのうち選択された検査情報を第１検査情報表示エリアＥ１ｂに移動させる指示を示す。
【００７２】
なお、本実施の形態において、説明を簡略化するために、修正操作画面６１は２人分の患者情報等が表示される第１患者関連情報表示エリアＥ１及び第２患者関連情報表示エリアＥ２が表示される構成として説明するが、３人分以上の患者関連情報表示エリアが表示される構成としてもよい。
【００７３】
図５及び図６を参照して、書換処理及び履歴情報取得処理を説明する。
まず、ユーザは、表示部６０に表示されたログイン画面（不図示）によりユーザ情報を登録した後、メニュー画面（不図示）に進み、メニュー画面から書換処理及び履歴情報取得処理を行う修正操作画面を表示させる。そして、表示部６０の表示画面上に修正操作画面６１が表示されている場合、第１患者情報表示エリアＥ１ａ及び第２患者情報表示エリアＥ２ａ共に患者情報がそれぞれ表示されているか否かが判別される（ステップＳ２１）。
【００７４】
第１患者情報表示エリアＥ１ａ及び第２患者情報表示エリアＥ２ａ共に患者情報が表示されていないと判別された場合（ステップＳ２１；Ｎｏ）、入力部５０を介して第１患者情報表示エリアＥ１ａ又は第２患者情報表示エリアＥ２ａのいずれか一方の患者ＩＤを表示するテキストボックスに患者ＩＤが入力されると、入力された患者ＩＤに対応する患者情報の有無を判別し、既存患者か否かが判別される（ステップＳ２２）。
【００７５】
入力された患者ＩＤに対応する患者情報が有りと判別され、既存患者であると判別された場合（ステップＳ２２；Ｙｅｓ）、入力された患者ＩＤに対応する既存患者の患者情報が管理情報データベース４１の患者情報データテーブルから検索される（ステップＳ２３）。そして、検索された患者情報は、患者ＩＤが入力された患者情報表示エリアに表示され（ステップＳ２４）、ステップＳ２１に戻る。
【００７６】
入力された患者ＩＤに対応する患者情報が無しと判別され、新規患者であると判別された場合（ステップＳ２２；Ｎｏ）、新規患者の患者情報が取得される（ステップＳ２５）。
【００７７】
新規患者の患者情報の取得としては、ユーザが患者情報表示エリアの各テキストボックスに入力部５０を介して各種情報を入力することによって取得される場合や、ＨＩＳ２やＲＩＳ３等の外部装置から患者情報が取得される。
【００７８】
新規患者の患者情報が取得されると、他の患者情報と識別する自己識別符号としての患者情報キーが付加され、患者情報データテーブルに登録される（ステップＳ２６）。そして、登録された患者情報が患者情報表示エリアに表示され（ステップＳ２７）、ステップＳ２１に戻る。
【００７９】
第１患者情報表示エリアＥ１ａ及び第２患者情報表示エリアＥ２ａ共に患者情報が表示されていると判別された場合（ステップＳ２１；Ｙｅｓ）、検査層の修正か否かが判別される（ステップＳ２８）。
【００８０】
検査層の修正か否かの判別は、第１患者関連情報表示エリアＥ１又は第２患者関連情報表示エリアＥ２のいずれか一方の検査情報表示エリアに表示されている検査情報データテーブルのレコードが入力部５０を介して選択された場合、選択されたレコードが移動対象物と設定されると共に、当該選択された検査情報データテーブルのレコードを有する患者関連情報表示エリアが移動元として設定される。そして、選択されたレコードが表示されている検査情報表示エリアから他方の検査情報表示エリアに当該選択されたレコードを移動させる指示を示す移動ボタンが押下されたか否かを判別することにより、検査層の修正か否かが判別される。
【００８１】
選択されたレコードが表示されている検査情報表示エリアから他方の検査情報表示エリアに当該選択されたレコードを移動させる指示を示す移動ボタンが押下されたと判別された場合、即ち、検査層の修正であると判別された場合（ステップＳ２８；Ｙｅｓ）、選択されたレコードの患者情報キーが移動先である他方の患者関連情報表示エリアの検査情報表示エリアに表示されている検査情報データベースの患者情報キーに書き換えられ（ステップＳ２９）、ステップＳ３４に進む。
【００８２】
検査層の修正でないと判別された場合（ステップＳ２８；Ｎｏ）、シリーズ層の修正か否かが判別される（ステップＳ３０）。
【００８３】
シリーズ層の修正か否かの判別は、第１患者関連情報表示エリアＥ１又は第２患者関連情報表示エリアＥ２のいずれか一方のシリーズ情報表示エリアに表示されているシリーズ情報データテーブルのレコードが入力部５０を介して選択された場合、選択されたレコードが移動対象物と設定されると共に、当該選択されたシリーズ情報データテーブルのレコードを有する患者関連情報表示エリアが移動元として設定される。そして、選択されたレコードが表示されているシリーズ情報表示エリアから他方のシリーズ情報表示エリアに当該選択されたレコードを移動させる指示を示す移動ボタンが押下されたか否かを判別することにより、シリーズ層の修正か否かが判別される。
【００８４】
選択されたレコードが表示されているシリーズ情報表示エリアから他方のシリーズ情報表示エリアに当該選択されたレコードを移動させる指示を示す移動ボタンが押下されたと判別された場合、即ち、シリーズ層の修正であると判別された場合（ステップＳ３０；Ｙｅｓ）、選択されたレコードの検査情報キーが移動先である他方の患者関連情報表示エリアのシリーズ情報表示エリアに表示されているシリーズ情報データベースの検査情報キーに書き換えられ（ステップＳ３１）、ステップＳ３４に進む。
【００８５】
シリーズ層の修正でないと判別された場合（ステップＳ３０；Ｎｏ）、画像層の修正か否かが判別される（ステップＳ３２）。
【００８６】
画像層の修正か否かの判別は、第１患者関連情報表示エリアＥ１又は第２患者関連情報表示エリアＥ２のいずれか一方の画像情報表示エリアに表示されているサムネイル画像が入力部５０を介して選択された場合、この選択されたサムネイル画像に対応する画像情報データテーブルのレコードが移動対象物と設定されると共に、当該選択された画像情報データテーブルのレコードを有する患者関連情報表示エリアが移動元として設定される。そして、選択されたレコードが表示されている画像情報表示エリアから他方の画像情報表示エリアに当該選択されたレコードを移動させる指示を示す移動ボタンが押下されたか否かを判別することにより、画像層の修正か否かが判別される。
【００８７】
選択されたレコードが表示されている画像情報表示エリアから他方の画像情報表示エリアに当該選択されたレコードを移動させる指示を示す移動ボタンが押下されたと判別された場合、即ち、画像層の修正であると判別された場合（ステップＳ３２；Ｙｅｓ）、選択されたレコードのシリーズ情報キーが移動先である他方の患者関連情報表示エリアの画像情報表示エリアに表示されている画像情報データベースのシリーズ情報キーに書き換えられ（ステップＳ３３）、ステップＳ３４に進む。
【００８８】
画像層の修正でないと判別された場合（ステップＳ３２；Ｎｏ）、ステップＳ２８に戻る。
【００８９】
ステップＳ２９、ステップＳ３１、ステップＳ３３のいずれかの後、データ更新ボタン６４が押下されると、移動元及び移動先の患者関連情報表示エリアに表示された各種情報の書き換え処理の内容が、書換履歴情報として記憶部４０内の書換履歴情報群４２に記憶され（ステップＳ３４）、当該処理結果が管理情報データベース４１に反映され（ステップＳ３５）、本処理は終了される。
【００９０】
図７に、書換履歴情報群４２に記憶された書換履歴情報が表示された修正履歴表示画面６６の例を示す。
【００９１】
図７に示すように、修正履歴表示画面６６は、書換履歴情報群４２からユーザが所望する書換履歴情報を検索するために検索条件の入力を受け付ける検索条件入力エリア６６ａ、検索条件入力エリア６６ａに入力された検索条件に基づいて書換履歴情報群４２から検索された書換履歴情報を示す検索結果表示エリア６６ｂ、検索結果表示エリア６６ｂに表示された書換履歴情報のうち選択された書換履歴情報の詳細を示す詳細情報表示エリア６６ｃ等から構成されている。
【００９２】
書換履歴情報としては、ログイン画面においてユーザが登録したユーザ情報に基づいて書換を行ったユーザを示す修正ユーザ、データ更新ボタンを押下した日時を示す修正日時、移動対象となったレコード、当該レコードの上位層の移動元及び移動先の各層の情報等である。
【００９３】
図８〜図１１を参照して、本実施の形態の書換処理前後の各患者のグループのイメージ例を説明する。図８に、患者Ａの検査情報ｂ２を患者Ｂの検査情報に修正した場合における患者Ａ及び患者Ｂのグループのイメージ図を示す。
【００９４】
図８（ａ）は、書換処理前の患者Ａ及び患者Ｂのグループのイメージ図であり、書換処理前においては、患者Ａの患者情報ａ１に付加されている患者情報キーと検査情報ｂ２に付加されている患者情報キーとが同一であることから、患者Ａの患者情報ａ１と検査情報ｂ２とが関連情報をイメージする線ａｂ１で結ばれており、患者Ａの患者情報ａ１と検査情報ｂ２とが関連付けられている。
【００９５】
図８（ｂ）は、書換処理後の患者Ａ及び患者Ｂのグループのイメージ図であり、書換処理後においては、検査情報ｂ２に付加されている患者情報キーは、検査情報ｂ２と同一階層である患者層の移動先となる患者Ｂの上位層である患者情報ａ２の自己識別符号である患者情報キーに書き換えられることから、患者Ｂの患者情報ａ２と検査情報ｂ２とが関連情報をイメージする線ａｂ２で結ばれ、患者Ｂの患者情報ａ２と検査情報ｂ２とが関連付けられることとなる。
【００９６】
このように、検査情報に付加された患者情報キーのみを書き換えるだけで、検査情報ｂ２と共に検査情報ｂ２の下位層の各情報をも検査情報ｂ２の移動先となる患者Ｂのグループに移動させることができる。
【００９７】
図９に、患者Ａの検査情報ｂ２のシリーズ情報ｃｍを患者Ｂの検査情報ｂ１のシリーズ情報に修正した場合における患者Ａ及び患者Ｂのグループのイメージ図を示す。
【００９８】
図９（ａ）は、書換処理前の患者Ａ及び患者Ｂのグループのイメージ図であり、書換処理前においては、患者Ａの検査情報ｂ２に付加されている検査情報キーとシリーズ情報ｃｎに付加されている検査情報キーとが同一であることから、患者Ａの検査情報ｂ２とシリーズ情報ｃｎとが関連情報をイメージする線ｂｃ１で結ばれており、患者Ａの検査情報ｂ２とシリーズ情報ｃｎとが関連付けられている。
【００９９】
図９（ｂ）は、書換処理後の患者Ａ及び患者Ｂのグループのイメージ図であり、書換処理後においては、シリーズ情報ｃｎに付加されている検査情報キーは、シリーズ情報ｃｎと同一階層であるシリーズ層の移動先となる患者Ｂの上位層である検査情報ｂ１の自己識別情報である検査情報キーに書き換えられることから、患者Ｂの検査情報ｂ１とシリーズ情報ｃｎとが関連情報をイメージする線ｂｃ２で結ばれ、患者Ｂの検査情報ｂ１とシリーズ情報ｃｎとが関連付けられることとなる。
【０１００】
このように、シリーズ情報に付加された検査情報キーのみを書き換えるだけで、シリーズ情報ｃｎと共にシリーズ情報ｃｎの下位層の各情報をもシリーズ情報ｃｎの移動先となる患者Ｂのグループに移動させることができる。
【０１０１】
図１０に、患者Ａの検査情報ｂ２のシリーズ情報ｃｎの画像情報ｄ１を患者Ｂの検査情報ｂ１のシリーズ情報ｃ１の画像情報に修正した場合における患者Ａ及び患者Ｂのグループのイメージ図を示す。
【０１０２】
図１０（ａ）は、書換処理前の患者Ａ及び患者Ｂのグループのイメージ図であり、書換処理前においては、患者Ａの検査情報ｂ２のシリーズ情報ｃｎに付加されているシリーズ情報キーと画像情報ｄ１に付加されているシリーズ情報キーとが同一であることから、患者Ａの検査情報ｂ２のシリーズ情報ｃｎと画像情報ｄ１とが関連情報をイメージする線ｃｄ１で結ばれており、患者Ａの検査情報ｂ２のシリーズ情報ｃｎと画像情報ｄ１とが関連付けられている。
【０１０３】
図１０（ｂ）は、書換処理後の患者Ａ及び患者Ｂのグループのイメージ図であり、書換処理後においては、画像情報ｄ１に付加されているシリーズ情報キーは、画像情報ｄ１と同一階層である画像層の移動先となる患者Ｂの上位層であるシリーズ情報ｃ１の自己識別情報であるシリーズ情報キーに書き換えられることから、患者Ｂの検査情報ｂ１のシリーズ情報ｃ１と画像情報ｄ１とが関連情報をイメージする線ｃｄ２で結ばれ、患者Ｂの検査情報ｂ１のシリーズ情報ｃ１と画像情報ｄ１とが関連付けられることとなる。
【０１０４】
図１１に、患者Ａの検査情報ｂ２を新規の患者Ｃの検査情報に修正した場合における患者Ａ及び患者Ｃのグループのイメージ図を示す。
【０１０５】
図１１（ａ）は、書換処理前の患者Ａ及び患者Ｃのグループのイメージ図であり、書換処理前においては、患者Ｃは新規患者であるため、患者Ｃに関連する各種情報が登録されておらず、また、患者Ａの患者情報ａ１に付加されている患者情報キーと検査情報ｂ２に付加されている患者情報キーとが同一であることから、患者Ａの患者情報ａ１と検査情報ｂ２とが関連情報をイメージする線ａｂ１で結ばれており、患者Ａの患者情報ａ１と検査情報ｂ２とが関連付けられている。
【０１０６】
図１１（ｂ）は、書換処理後の患者Ａ及び患者Ｃのグループのイメージ図であり、書換処理後においては、患者Ｃの患者情報ａ３が登録されると共に、検査情報ｂ２に付加されている患者情報キーは、検査情報ｂ２と同一階層である患者層の移動先となる患者Ｃの上位層である患者情報ａ３の自己識別情報である患者情報キーに書き換えられることから、患者Ｃの患者情報ａ３と検査情報ｂ２とが関連情報をイメージする線ａｂ３で結ばれ、患者Ｃの患者情報ａ３と検査情報ｂ２とが関連付けられることとなる。
【０１０７】
このように、本実施の形態によれば、医用画像に付帯された複数の情報（患者情報、検査情報、シリーズ情報、画像情報）を階層化し、かつ、各情報には上位層と関連付ける関連情報を付加して記憶部４０の管理情報データベース４１に記憶させ、当該情報を他のグループに移動させる場合には、移動先となる関連情報に書き換えることにより、管理情報データベース４１に保存された情報の修正を行うことができる。従って、管理情報データベース４１に記憶した情報が誤って記憶された場合であっても、再度、モダリティ側から情報を送信しなおす必要が無くなると共に、誤った情報が管理情報データベース４１に残存してしまうということも無くなり、モダリティや転送装置により再送せずとも変更及び修正し得る医用画像管理装置を提供することができる。
【０１０８】
また、本発明は、上記実施の形態の内容に限定されるものではなく、本発明の主旨を逸脱しない範囲で適宜変更可能である。
【図面の簡単な説明】
【０１０９】
【図１】本実施の形態における医用画像管理装置１の構成である。
【図２】階層化グループ生成処理により生成され、記憶部４０に記憶された管理情報データベース４１のグループＧのイメージ図である。
【図３】記憶部４０に記憶された管理情報データベース４１の例である。
【図４】本実施の形態における階層化グループ生成処理のフローチャートである。
【図５】本実施の形態における書換処理及び履歴情報取得処理のフローチャートである。
【図６】書換処理が実行される際に表示部６０に表示される表示画面（以下、修正操作画面６１という。）の例である。
【図７】書換履歴情報群４２に記憶された書換履歴情報が表示された修正履歴表示画面６６の例である。
【図８】患者Ａの検査情報ｂ２を患者Ｂの検査情報に修正した場合における患者Ａ及び患者Ｂのグループのイメージ図である。
【図９】患者Ａの検査情報ｂ２のシリーズ情報ｃｍを患者Ｂの検査情報ｂ１のシリーズ情報に修正した場合における患者Ａ及び患者Ｂのグループのイメージ図である。
【図１０】患者Ａの検査情報ｂ２のシリーズ情報ｃｎの画像情報ｄ１を患者Ｂの検査情報ｂ１のシリーズ情報ｃ１の画像情報に修正した場合における患者Ａ及び患者Ｂのグループのイメージ図である。
【図１１】患者Ａの検査情報ｂ２を新規の患者Ｃの検査情報に修正した場合における患者Ａ及び患者Ｃのグループのイメージ図である。
【符号の説明】
【０１１０】
１  医用画像管理装置
２  ＨＩＳ
３  ＲＩＳ
４  モダリティ
１０  ＣＰＵ
２０  ＲＯＭ
３０  ＲＡＭ
４０  記憶部
４１  管理情報データベース
４１１  患者情報データテーブル
４１２  検査情報データテーブル
４１３  シリーズ情報データテーブル
４１４  画像情報データテーブル
４２  書換履歴情報群
５０  入力部
６０  表示部
６１  修正操作画面
６２  メニューボタン
６３  オーダ参照ボタン
６４  データ更新ボタン
６５ａ、６５ｂ、６５ｃ、６５ｄ、６５ｅ、６５ｆ  移動ボタン
６６  修正履歴表示画面
６６ａ  検索条件入力エリア
６６ｂ  検索結果表示エリア
６６ｃ  詳細情報表示エリア
７０  通信部
Ｅ１  第１患者関連情報表示エリア
Ｅ１ａ  第１患者情報表示エリア
Ｅ１ｂ  第１検査情報表示エリア
Ｅ１ｃ  第１シリーズ情報表示エリア
Ｅ１ｄ  第１画像情報表示エリア
Ｅ２  第２患者関連情報表示エリア
Ｅ２ａ  第２患者情報表示エリア
Ｅ２ｂ  第２検査情報表示エリア
Ｅ２ｃ  第２シリーズ情報表示エリア
Ｅ２ｄ  第２画像情報表示エリア
Ｋ１  患者情報キー
Ｋ２  検査情報キー
Ｋ３  シリーズ情報キー
Ｇ  グループ
【図１】
2007313219.tif 000003
【図２】
2007313219.tif 000004
【図３】
2007313219.tif 000005
【図４】
2007313219.tif 000006
【図５】
2007313219.tif 000007
【図６】
2007313219.tif 000008
【図７】
2007313219.tif 000009
【図８】
2007313219.tif 000010
【図９】
2007313219.tif 000011
【図１０】
2007313219.tif 000012
【図１１】
2007313219.tif 000013